(57)【要約】      （修正有）【課題】車椅子やベビーカーの日除けのフレームや車椅子のアームレスト等を取着して角度を調節する角度調節機構であって、軽量で脱着が簡単な角度調節機構を提供する。【解決手段】左右に回動させる操作レバー２１ａと係止部２３を押圧する押圧部２１ｃを有する操作部２１と、係止部２３を有し、支持部材の角度を調節する可動部２２と、歯車２４ａが着設され、可動部２２を回動させて調節した角度を固定する固定部２４と、よりなる角度調整機構とした。【選択図】図３
2010089557.tif 000002
【特許請求の範囲】
【請求項１】
左右に回動させる操作レバーと係止部を押圧する押圧部を有する操作部と、係止部を有し、支持部材の角度を調節する可動部と、歯車が着設され、可動部を回動させて調節した角度を固定する固定部と、よりなる角度調整機構であって、前記可動部を回動させると前記可動部の前記係止部と前記固定部の前記歯車との擦過音で傾斜角度の段数が判別できることを特徴とする角度調整機構。
【請求項２】
左右に回動させる操作レバーと係止部を押圧する押圧部を有する操作部と、大小の歯車が着設され、支持部材の角度を調節する可動部と、前記可動部の大きな歯車に噛合する歯と小さな歯車に係合する係止部を有し、前記可動部を回動させて調節した角度を固定する固定部と、よりなる角度調整機構であって、前記小さな歯車と前記係止部の擦過音で傾斜角度の段数が判別できることを特徴とする角度調整機構。
【請求項３】
支持部材の角度を調節してワンタッチで固定できることを特徴とする請求項１又は請求項２のいずれかに記載の角度調整機構。
【発明の詳細な説明】
【技術分野】
【０００１】
本発明は、日除け等と共に車椅子、乳母車等のフレームに着設して、日除けの角度を調節する角度調整機構に関わる。
【背景技術】
【０００２】
日中の強い日差しの中を車椅子や乳母車等で移動する場合、日差しを遮る日除けが必要になってくる。乳母車の場合は、通常、小さな日除けが着いているが、車椅子の場合当初から着設されているものは少なく、購入後に着設しなければならないものが多い。
【０００３】
特許文献１は車椅子の防風雨・日除け装置に係わる文献で、その構造は、段落[００１０]「車椅子１に取り付ける防風雨・日除けカバー２は、車椅子のハンドル３に着脱自在のクランプ４により挟持される。車椅子１への防風雨・日除けカバー２の取り付け手段は、前記のクランプ４のほか、蝶ナットとボルトの組合せ等のように簡単に着脱できる周知の取付手段を利用すればよい。防風雨・日除けカバー２は、日光を遮る日除けカバー２ａの下部に透明樹脂シートからなる防風雨カバー２ｂを延設して構成する。日除けカバー２ａの上端、日除けカバー２ａと防風雨カバー２ｂとの継ぎ目及び防風雨カバー２ｂの下端には、アーチ型フレーム５ａ、５ｂ、５ｃを設ける。アーチ型フレーム５ａ、５ｂ、５ｃの下端は、フレーム支持体６に回動自在に枢着し、防風雨・日除けカバー２が折り畳めるようにする。日除けカバー２ａと防風雨カバー２ｂとの境界のアーチ型フレーム５ｂと防風雨カバー２ｂの下端のアーチ型フレーム５ｃとは、連結部材５ｄで連結し、防風雨カバー２ｂの下端のアーチ型フレーム５ｃを前記継ぎ目のアーチ型フレーム５ｂまで折り畳んだ状態で維持できるようにする。」と開示されている。
【０００４】
特許文献２は、車椅子等に取り付ける覆いが開示されており、その構成は段落[０００６]の第４行目より、「天然素材又は合成素材からなるシートと、上記シートを、その一方の縁からロール状に巻き付ける丸棒を、横長の切れ込みを有する外筒に、その軸心を中心として回転自在に収容し、上記シートの他方の縁を、上記外筒の切れ込みから外側に引き出すようにされ、上記外筒と上記丸棒とを、上記丸棒が上記外筒内でその軸心を中心として回転したときその回転を逆転させる力が付勢される弾性部材により連結してなる筒状構造物と、上記筒状構造物と並列に配置されて上記シートの他方の縁を固定する固定棒とを備えたことを特徴とする覆い。」が開示されている。
【０００５】
上記の特許文献は車椅子の日除けに係るものであるが、いずれも角度調整は２段階のみで、日差しによって、適当に角度を調整できるものではない。さらに、角度を調整する方法としては、ベビーカーの折り畳み機構の文献として以下のような報告がある。
【０００６】
特許文献３の請求の範囲には、左右両部材の対向端に上下に重なり合うように設けた突出片と、この重なり合った突出片を回動可能に軸支すると共に、上端側プッシュにより付与してある上昇復帰力に抗して降下するように設けた支軸と、突出片の上記支軸挿通孔壁に少なくとも上記突出片の重なり合う上下縁面が解放するよう設けた縦溝と、支軸の外周面から突出すると共に、支軸の上昇復帰状態にあっては上下突出片を跨ぐように縦溝内に位置し、かつ支軸の降下状態にあっては下位突出片の縦溝内のみに位置するよう設けた突起とからなる関節部のロック装置が開示されている。
【０００７】
特許文献４のベビーカーの折り畳み機構は、段落[００１７]に、受動用歯車４ｇと駆動用歯車１ｇは、円盤状態の周縁部に傾斜した歯面を刻切した傘歯車として構成しており、駆動用歯車１ｇが前脚杆１若しくは後脚杆２の軸方向に対して左右方向に９０度程度回転した時に、受動用歯車４ｇが前脚杆１若しくは後脚杆２の円周方向に９０度程度の範囲で正転若しくは逆転するよう構成していると記載されている。このように、特許文献２のベビーカーの折り畳み機構は、２枚の歯車より構成されている。
【０００８】
特許文献５のベビーカーの手押し杆の構成は、段落[００３１]〜[００３４]に、図１に示すように、本実施の形態の手押し杆１５は、ロック解除部材３８及び係止部材４２から上方へ延びる一対の側部パイプ６７と、一対の側部パイプ６７間に配置されたU字形状パイプ６８に設けられた遠隔操作装置３７とを備えている。また、遠隔操作装置３７にワイヤ６９が連結され、このワイヤ６９は、各側部パイプ６７下方に設けられたロック解除部材３８に連結されている。また、図１、図７、図８及び図９に示すように、手押し杆１５は、各側部パイプ６７に設けられるとともに、一方の外歯車７１とワイヤ案内部９０を有する一方の継手６１と、U字形状パイプ６８に設けられるとともに、他方の外歯車８３とワイヤ案内路９０とを有し、対応する一方の継手６１に大して回転自在な他方の継手６５とを備えている。このうち、一方の継手６１と他方の継手６５との間に、一方の継手６１の一方の外歯車７１と他方の継手６５の他方の外歯車８３とに取り外し自在に係合する内歯車６３が設けられている。また、他方の継手６５と内歯車６３との間に、他方の継手６５の回転中心近傍にワイヤ６９を案内するワイヤ案内軸７４を有する案内部材６４が設けられている。
【０００９】
上記のベビーカーの折り畳み機構は、着設する構造体が大きいために、折り畳み機構も大きく、頑丈なものが多い。しかし、車椅子のフレーム等に日除け等を取着するための折り畳み機構は脱着が簡単で軽量な物が望ましく、そのような折り畳み機構の出現が望まれている。
【特許文献１】特開平１１−１９７１８８号公報
【特許文献２】特開２００４−６５８９５号公報
【特許文献３】実公平０７−３２９７７号公報
【特許文献４】実用新案登録第２５４２１２２号公報
【特許文献５】特開２００７−９８９９６号公報
【発明の開示】
【発明が解決しようとする課題】
【００１０】
本発明は、車椅子やベビーカーのフレーム等に日除け等を取着するための折り畳み機構であって、計量で脱着が簡単な折り畳み機構を提供するものである。
【課題を解決するための手段】
【００１１】
車椅子やベビーカーのフレームに簡単に着設できると共に、角度の調節も容易な角度調節機構を提供するために鋭意検討を加えた結果、支柱を挿着して歯車に沿って稼動する可動部と、可動部を車椅子やベビーカーのフレームに係止する係止手段を含む角度調節機構とした。
【００１２】
本発明の特徴は、左右に回動させる操作レバーと係止部を押圧する押圧部を有する操作部と、係止部を有し、支持部材の角度を調節する可動部と、歯車が着設され、可動部を回動させて調節した角度を固定する固定部と、よりなる角度調整機構であって、前記可動部を回動させると前記可動部の前記係止部と前記固定部の前記歯車との擦過音で傾斜角度の段数が判別できることを特徴とする角度調整機構である。可動部の係止部と固定部の歯車との擦過音は係止部に設けられた凸部との接触により発せられる。上記支持部材とは車椅子や乳母車等に着設する日除けのフレーム等である。
【００１３】
本発明の別の特徴は、左右に回動させる操作レバーと係止部を押圧する押圧部を有する操作部と、大小の歯車が２段に着設され、部材を支持して角度を調節する可動部と、前記可動部の周囲に大きな歯車に噛合する歯とその内側に小さな歯車に係合する係止部を有し、前記可動部を回動させて調節した角度を固定する固定部と、よりなる角度調整機構であって、前記小さな歯車と前記係止部の擦過音で傾斜角度の段数が判別できることを特徴とする角度調整機構である。上記支持部材とは、使用するに際して角度を調節することによって、快適な姿勢が得られるものであって、車椅子等に着設するアームレストやヘッドレスト等のフレーム等を例示することができる。
【００１４】
本発明の別の特徴は、支持部材の傾斜角度を調節してワンタッチで固定できることを特徴とする角度調整機構である。
【発明の効果】
【００１５】
本発明の角度調整機構は、車椅子のアームレスト、車椅子やベビーカーの日除けのフレーム等に簡単に着設することができると共に、歯車と係止部の擦過音で傾斜角度の段数が判別できる効果を有している。さらに、支柱の傾斜角度を調節してワンタッチで固定することができる効果を有している。
【発明を実施するための最良の形態】
【００１６】
以下に本発明の角度調整機構について図面を用いて詳細に説明するが、本発明は以下の実施例に限定されるものではない。
【００１７】
本発明の角度調整機構１００は、日除け等の覆い（Ａ）を着設するために、車椅子１０やベビーカーなどのフレームに着設するものである。例えば、図１に示すように、上部に把持部１１と下端部に主車輪１６を有する後部フレーム１２と、後部フレーム１２の中ほどに着設されたサイドフレーム１３と、下端部にキャスター１７と前部にフットレスト１９を有するフットレストフレーム１５が着設された前部フレーム１４より構成される枠体を有する車椅子１０の後部フレーム１２に本発明の角度調整機構１００を取着した側面図を示す。
【００１８】
図２は、本発明のフレーム１２に角度調整機構１００を着設した斜視図を示す。操作レバー２１ａと係止状態か否かを示す表示部２１ｂを有する操作部２１が回動可能に可動部２２に着設されている。可動部２２の側面に日除けなどの支持部材の支柱を挿着する孔２２ａが穿設されており、ここに支持部材の支柱を挿入して上のネジ孔２２ｂからネジで締め付けて固定する。可動部２２は歯車を有する固定部２４に螺着されている。角度調整機構１００は固定部２４と狭持部２７でフレーム１２を挟持するようにして着設する。
【００１９】
図３は、本発明の角度調整機構１００を分解した斜視図を示す。操作レバー２１ａと係止状態か否かを示す表示部２１ｂと係止部２３を押圧する押圧部２１ｃを有する操作部２１は、押圧部２１ｃを可動部２２の孔２２ｃに挿入して回動可能に着設されている。可動部２２の側面に日除けなどの支持部材の支柱を挿着する孔２２ａが穿設されており、ここに支持部材の支柱を挿入して上のネジ孔２２ｂからネジで締め付けて支持部材の支柱を固定する。操作部２１の押圧部２１ｃを可動部２２に挿入して、この可動部２２に係止部を挿着して歯車を有する固定部２４にワッシャー２５、２５を着設してネジ２６で螺着する。固定部２４の他方端２４ｂの凹部２４ｂは狭持部２７の凹部２７ｂと共にフレーム１２を挟持してネジ２８、２８をネジ孔２７ａ、２７ａを通して締付けてフレームに着設する。
【００２０】
図４は、角度調整機構の分解斜視図を示し、図３の逆方向からの分解斜視図を示している。操作部２１の押圧部２１ｃは可動部２２の孔２２ｃ、２２ｃから突出して係止部の挿着孔２２ｄ、２２ｄに挿着された係止部２３、２３の凸部２３ａ、２３ａを後から押圧して係止部の凸部２３ｂ、２３ｂを歯車に係合させて可動部２２の動きを押圧固定する。係止部２３が押圧されていない状態では、係止部２３は軽く歯車に接触した状態にあり、可動部２２を回転させると係止部の凸部２３ｂ、２３ｂと歯車の擦過音で傾斜角度の段数が判別できる。
可動部２２を回動させて角度を調節した後、操作部２１の操作レバー２１ａを回して係止状態とする。
【００２１】
図５は、本発明の別形態の角度調整機構２００の分解した斜視図を示す。図５に示す角度調整機構２００は、操作レバー２１ａと係止状態か否かを示す表示部２１ｂと係止部２３を押圧する押圧部２１ｃを有する操作部２１は、押圧部２１ｃを可動部２２に蓋をするように挿着する。操作レバー２１ａを回すと押圧部２１ｃが可動部２２の内面に設けられた斜面に沿って台上２２ｆに上がり、バネ部材２２ｉが収縮されて、可動部２２の外側の大きな歯車２２ｇが固定部２４から離れて、可動部２２が回動自在となり、内側の小さな歯車２２ｈが固定部２４の凹部２４ｄ、２４ｄに装着された係止部２３の凸部２３ｂ、２３ｂと接触して回転音が発生する。フレームなどに着設する方法については後述する。
【００２２】
本発明の図４示した角度調整機構１００と別形態の角度調整機構２００との相違点は歯車の着設部位と係止部の装着位置を変え、可動部２２と固定部２４の間にバネ部材２２ｉを入れて可動部２２と固定部２４が脱着出来るようにすると共に、可動部２２の大きな歯車２２ｇと固定部２４の歯２４ｃを噛合させて、固定状態をより強固にしたことである。
【００２３】
図６は、本発明の別形態の角度調整機構２００の分解した斜視図で図５の反対側から見た斜視図を示す。操作部２１の押圧部２１ｃは可動部２２の斜面２２から台上２２ｆに上がり、バネ部材２２ｉを収縮させ、支持部材を着設した可動部２２の大きな歯車２２ｇと固定部２４の歯２４ｃの噛合が離脱して可動部２２が回動自在となり、支持部材の角度の調整ができる。可動部２２を回動させて角度を調節した後、操作部２１の操作レバー２１ａを離すと付勢されたバネ部材２２ｉで元に戻り、大きな歯車２２ｇと固定部２４の歯２４ｃが噛合して固定される。
【００２４】
図７は、本発明の別形態の角度調整機構２００を支持部材として車椅子のアームレストに着設する斜視図である。角度調整機構２００の可動部２２の上に穿設したネジ孔２２ｊにアームレスト２９の取着部２９ａをネジ２９ｂで螺着し、角度調整機構２００の固定部２４の背面に穿設したネジ孔（図示せず）にアームレストのフレーム３０の取着部３０ａをネジ３０ｂで固定する。
【００２５】
図８は、本発明の別形態の角度調整機構２００を支持部材として車椅子のアームレストに着設した斜視図である。角度調整機構２００の操作部２１のレバー２１ａを引いて回転させると、押圧部２１ｃがバネ部材２２ｉを収縮させ、可動部２２の大きな歯車２２ｇと固定部２４の歯２４ｃの噛合が離脱して可動部２２が回動自在となり、アームレスト２９の角度の調整ができる。操作レバー２１ａを離すと付勢されたバネ部材２２ｉで元に戻り、可動部２２の大きな歯車２２ｇと固定部２４の歯２４ｃが噛合してアームレスト２９は任意の角度で固定される。  また、操作レバー２１ａを回して係止を解放し、可動部２２を持って左右どちらかに回すと、可動部２２の小さな歯車２２ｈと固定部２４の係止部の凹部２３ｂ、２３ｂが接触して擦過音を発生し、この擦過音で傾斜角度の段数を判別することができる。
【００２６】
本発明の角度調整機構を作成する材質は特に限定されないが、使用目的、着設位置等から軽量合金や硬質のプラスチック等が望ましい。
【図面の簡単な説明】
【００２７】
【図１】図１は、車椅子の後部フレームに本発明の角度調整機構を取着した側面図を示す。
【図２】図２は、本発明の角度調整機構の操作部の斜視図を示す。
【図３】図３は、本発明の角度調整機構の分解した斜視図を示す。
【図４】図４は、本発明の角度調整機構の分解した斜視図で図３の反対側から見た斜視図を示す。
【図５】図５は、本発明の別形態の角度調整機構の分解した斜視図を示す。
【図６】図６は、本発明の別形態の角度調整機構の分解した斜視図で図５の反対側から見た斜視図を示す。
【図７】図７は、本発明の別形態の角度調整機構を車椅子のアームレストに着設する斜視図である。
【図８】図８は、本発明の別形態の角度調整機構を車椅子のアームレストに着設した斜視図である。
【符号の説明】
【００２８】
１００：角度調整機構
２００：別形態の角度調整機構
１０：車椅子
１１：把持部
１２：後部フレーム
１３：サイドフレーム
１４：前部フレーム
１５：フットレストフレーム
１６：主車輪
１７：前部キャスター
１８：ブレーキ
１９：フットレスト
２１：操作部
２２：可動部
２３：係止部
２４：固定部
２５：ワッシャー
２６：ネジ
２７：狭持部
２８：ネジ
２９：アームレスト
３０：アームレストのフレーム
【図１】
2010089557.tif 000003
【図２】
2010089557.tif 000004
【図３】
2010089557.tif 000005
【図４】
2010089557.tif 000006
【図５】
2010089557.tif 000007
【図６】
2010089557.tif 000008
【図７】
2010089557.tif 000009
【図８】
2010089557.tif 000010